(57)【特許請求の範囲】
【請求項１】
回転中心となる回転軸部と、
該回転軸部の外周側に設けられた複数の羽根と、
を備え、
前記複数の羽根は、隣接する羽根が前縁部と後縁部とで接続されたプロペラファンであって、
前記複数の羽根の圧力面に、
前記回転軸部を囲むように前記回転軸部の回転中心方向に沿って突出した第１リブと、
前記回転軸部から前記第１リブに向かって延びるように、前記回転中心方向に沿って突出した第２リブと、
を有し、
前記第２リブにおける前記回転中心方向の端部のうちの前記圧力面とは反対側の端部が、前記第１リブにおける前記回転中心方向の端部のうちの前記圧力面とは反対側の端部よりも、前記圧力面から離れる方向に突出しているプロペラファン。
【請求項２】
前記第１リブと前記第２リブとの間に形成された隙間の少なくとも一部を閉塞する閉塞リブを備えた請求項１に記載のプロペラファン。
【請求項３】
前記圧力面に、
前記第１リブから外周側に延びるように前記回転中心方向に沿って突出した第３リブを備えた請求項１又は請求項２に記載のプロペラファン。
【請求項４】
前記回転中心方向に前記第１リブを観察したとき、
該第１リブの外周面が円形状となっている請求項１〜請求項３のいずれか一項に記載のプロペラファン。
【請求項５】
前記第１リブは、
前記回転中心方向に観察したときに外周面が円弧形状となっている複数のリブを有し、
前記複数のリブで前記回転軸部を囲うように構成されている請求項１〜請求項３のいずれか一項に記載のプロペラファン。
【請求項６】
前記回転中心方向に前記第１リブを観察したとき、
該第１リブの外周面が多角形状となっている請求項１〜請求項３のいずれか一項に記載のプロペラファン。
【請求項７】
請求項１〜請求項６のいずれか一項に記載のプロペラファンと、
該プロペラファンにより導かれた空気と熱交換を行う熱交換器と、
を備えた室外機。
【請求項８】
凝縮器及び蒸発器を有する冷媒回路を備え、
前記凝縮器又は前記蒸発器に空気を導く送風機として、請求項１〜請求項６のいずれか一項に記載のプロペラファンを備えた冷凍サイクル装置。
【発明の詳細な説明】
【技術分野】
【０００１】
本発明は、隣接する羽根が前縁部と後縁部とで接続された所謂翼一体型のプロペラファン、並びに、該プロペラファンを備えた室外機及び冷凍サイクル装置に関するものである。
【背景技術】
【０００２】
冷凍サイクル装置は、冷媒回路に冷媒を循環させて、対象空間等の加熱及び冷却等を行う。この冷凍サイクル装置は、室内機（室内ユニット）と室外機（室外ユニット）とを備えていることが多い。この室外機は、送風機として、羽根（プロペラ）を有するプロペラファンを備えている。そして、プロペラファンを回転させて空気の流れを発生させることにより、送風（冷却、排熱等）を行う。【０００３】
上述のプロペラファンは、一般的に、モーター等の駆動源の回転軸に接続される円筒状のボス部の外周側に、複数の羽根が接続された構成となっている。このようなボス部を備えたプロペラファンでは、ボス部の重量が嵩むため軽量化が難しく、省資源化（環境負荷低減）を進めることが困難である。加えて、ボス部は送風機能を有さないため、ファンの送風効率を向上させることが難しいという課題があった。【０００４】
そこで、従来、モーター等の駆動源の回転軸に接続される回転軸部（回転中心）と、該回転軸部の外周側に設けられた複数の羽根と、を備え、隣接する羽根が前縁部と後縁部とで接続された所謂翼一体型のプロペラファンも提案されている。この翼一体型のプロペラファンは、隣接する羽根をボス部を介さず連続面で接続する構成となる。このため、翼一体型のプロペラファンは、回転軸部（回転中心）を中心とする羽根間の連続面の最小半径が、回転軸部の半径より大きい寸法となっている。したがって、翼一体型のプロペラファンは、ボス部を備えたプロペラファンが有する上記課題を解決することができる。【０００５】
しかしながら、翼一体型のプロペラファンは、羽根の強度不足によって回転時に羽根の変形量が多くなってしまい、送風機能が低下する等の課題があった。このため、従来の翼一体型のプロペラファンには、回転軸部の周囲に羽根の強度不足を補うリブを備えたものも提案されている。例えば、特許文献１に記載の翼一体型のプロペラファンは、回転軸部が羽根の圧力面側に突出した構成となっている。そして、羽根の圧力面に、回転軸部から放射状に延びるリブが形成されている。特許文献１によると、放射状に延びるリブがターボファンとしても機能し、翼一体型のプロペラファンの送風性能の向上も図ることができるとしている。
【先行技術文献】
【特許文献】
【０００６】
【特許文献１】国際公開第２０１６／０２１５５５号
【発明の概要】
【発明が解決しようとする課題】
【０００７】
翼一体型のプロペラファンが回転した際に発生する気流の主流は、羽根の外周側を流れる。このため、回転軸部の下流側では空気があまり流れずに淀み、回転軸部の下流側に大きな剥離域が発生する。ここで、特許文献１に記載のプロペラファンは、回転時、圧力面に形成された放射状リブの外周側端部近傍において、該外周側端部近傍の空気を拡散することができる。このため、特許文献１に記載のプロペラファンは、この拡散された空気が主流に誘引されることにより、主流を若干内周側（回転軸部側）にまで流すことが可能となる。しかしながら、特許文献１に記載のプロペラファンも、回転軸部の下流側に十分な気流を発生させることができず、回転軸部の下流側に発生する剥離域を小さくすることができないという課題があった。【０００８】
本発明は、上記課題を鑑みてなされたものであり、回転軸部の下流側に発生する剥離域を従来よりも小さくすることができる翼一体型のプロペラファンを提供することを第１の目的とする。また、当該プロペラファンを備えた室外機及び冷凍サイクル装置を提供することを第２の目的とする。
【課題を解決するための手段】
【０００９】
本発明に係るプロペラファンは、回転中心となる回転軸部と、該回転軸部の外周側に設けられた複数の羽根と、を備え、前記複数の羽根は、隣接する羽根が前縁部と後縁部とで接続されたプロペラファンであって、前記複数の羽根の圧力面に、前記回転軸部を囲むように前記回転軸部の回転中心方向に沿って突出した第１リブと、前記回転軸部から前記第１リブに向かって延びるように、前記回転中心方向に沿って突出した第２リブと、を有し、前記第２リブにおける前記回転中心方向の端部のうちの前記圧力面とは反対側の端部が、前記第１リブにおける前記回転中心方向の端部のうちの前記圧力面とは反対側の端部よりも、前記圧力面から離れる方向に突出しているものである。
【発明の効果】
【００１０】
本発明に係るプロペラファンは、羽根の回転により発生した気流を第１リブにより内周側に拡大することができる。さらに、本発明に係るプロペラファンは、第１リブによって拡大された流れを、第２リブによってさらに回転軸部の下流側まで拡大することができる。このため、本発明に係るプロペラファンは、回転軸部の下流側に十分な気流を発生させることができ、回転軸部の下流側に発生する剥離域を従来よりも小さくすることができる。
【図面の簡単な説明】
【００１１】
【図１】本発明の実施の形態１に係る室外機を正面側から見た斜視図である。
【図２】本発明の実施の形態１に係る室外機において、室外機本体の上面部を取り外した状態を示す平面図である。
【図３】本発明の実施の形態１に係る室外機を正面側から見た斜視図であり、ファングリルを取り外した状態を示す図である。
【図４】本発明の実施の形態１に係る室外機において、室外機本体の第１側面部、前面部の一部及び上面部を取り外した状態を示す斜視図である。
【図５】本発明の実施の形態１に係るプロペラファンを正面側（空気流れの下流側）から見た斜視図である。
【図６】本発明の実施の形態１に係るプロペラファンの背面図である。
【図７】本発明の実施の形態１に係るプロペラファンの回転軸部周辺を正面側から見た斜視図である。
【図８】本発明の実施の形態１に係るプロペラファンの回転軸部周辺の正面図である。
【図９】本発明の実施の形態１に係るプロペラファンの別の一例の回転軸部周辺を示す正面図である。
【図１０】本発明の実施の形態１に係るプロペラファンの別の一例の回転軸部周辺を示す正面図である。
【図１１】本発明の実施の形態１に係るプロペラファンの別の一例の回転軸部周辺を示す正面図である。
【図１２】本発明の実施の形態１に係るプロペラファンの別の一例の回転軸部周辺を示す正面図である。
【図１３】本発明の実施の形態１に係るプロペラファンの別の一例の回転軸部周辺を示す正面図である。
【図１４】本発明の実施の形態１に係るプロペラファンの別の一例の回転軸部周辺を示す正面図である。
【図１５】本発明の実施の形態１に係るプロペラファンの別の一例の回転軸部周辺を示す正面図である。
【図１６】従来の室外機を正面側から見た斜視図であり、ファングリルを取り外した状態を示す図である。
【図１７】従来の室外機を側方から観察した縦断面模式図であり、該室外機で発生する気流を説明するための図である。
【図１８】本発明の実施の形態１に係る室外機を側方から観察した縦断面模式図であり、該室外機で発生する気流を説明するための図である。
【図１９】本発明の実施の形態２に係るプロペラファンの一例の回転軸部周辺を示す正面図である。
【図２０】本発明の実施の形態２に係るプロペラファンの別の一例の回転軸部周辺を示す正面図である。
【図２１】本発明の実施の形態３に係るプロペラファンの一例の回転軸部周辺を示す正面図である。
【図２２】本発明の実施の形態４に係るプロペラファンの回転軸部周辺を正面側から見た斜視図である。
【図２３】本発明の実施の形態４に係るプロペラファンの回転軸部周辺を正面側から見た斜視図である。
【図２４】本発明の実施の形態５に係る空気調和装置の構成図である。
【発明を実施するための形態】
【００１２】
以下、本発明の各実施の形態について、図に基づいて説明する。
【００１３】
実施の形態１．
まず、本発明の実施の形態１における室外機の構成について説明する。本実施の形態１では、室外機の一例として空気調和装置の室外機について説明する。なお、本実施の形態１の室外機は、例えば給湯器用の室外機であってもよく、空気調和機の室外機と同様の構成とすることができる。
【００１４】
図１は、本発明の実施の形態１に係る室外機を正面側から見た斜視図である。図２は、本発明の実施の形態１に係る室外機において、室外機本体の上面部を取り外した状態を示す平面図である。図３は、本発明の実施の形態１に係る室外機を正面側から見た斜視図であり、ファングリルを取り外した状態を示す図である。また、図４は、本発明の実施の形態１に係る室外機において、室外機本体の第１側面部、前面部の一部及び上面部を取り外した状態を示す斜視図である。
【００１５】
室外機１００は、室外機本体１と、ファングリル２と、送風機であるプロペラファン３と、ファンモータ４と、仕切板５と、送風機室６と、機械室７と、熱交換器８と、ベルマウス９とを主に有している。
【００１６】
室外機本体１は、例えば略直方体形状をしており、室外機１００の外郭を構成するものである。室外機本体１は、第１側面部１ａ、前面部１ｂ、第２側面部１ｃ、背面部１ｄ、上面部１ｅ及び底面部１ｆで構成されている。この室外機本体１の内部は、仕切板５によって、送風機室６と機械室７とに区画されている。そして、第１側面部１ａ及び背面部１ｄにおける送風機室６を構成する部分には、室外機本体１内に空気を吸い込む吸込口１ｈとなる開口部が形成されている。また、前面部１ｂにおける送風機室６を構成する部分には、外部に空気を吹出す吹出口１ｇとなる開口部が形成されている。
【００１７】
送風機室６には、プロペラファン３、ファンモータ４、熱交換器８及びベルマウス９が設置されている。熱交換器８は、第１側面部１ａ及び背面部１ｄの吸込口１ｈと対向するように送風機室６に配置されている。つまり、熱交換器８は、平面視略Ｌ字状に形成されている。この熱交換器８は、プロペラファン３により導かれた空気と熱交換を行うものであり、複数のフィン及び伝熱管を有するフィンアンドチューブ型の熱交換器として構成されている。複数のフィンは、規定の間隔を空けて、第１側面部１ａ及び背面部１ｄに沿うように横方向に並設されている。複数の伝熱管は、これら複数のフィンを貫通するように設けられている。つまり、各伝熱管は、平面視略Ｌ字状に形成されている。そして、これら伝熱管は、規定の間隔を空けて、上下方向に並設されている。各伝熱管内には、冷媒回路を循環する冷媒が流れる。
【００１８】
プロペラファン３は、前面部１ｂの吹出口１ｇと対向するように設けられている。すなわち、上述の熱交換器８は、プロペラファン３の吸込側に配置されている。プロペラファン３は、後述のように、回転中心となる回転軸部３０を備えている（図５等参照）。この回転軸部３０に、ファンモータ４の回転軸４ａが接続されている。すなわち、ファンモータ４の回転軸４ａが回転することにより、プロペラファン３も回転軸部３０を回転中心として回転する。このようにプロペラファン３に回転駆動力を伝達するファンモータ４は、室外機本体１の前後方向において、熱交換器８とプロペラファン３との間に配置されている。
なお、プロペラファン３の詳細については後述する。
【００１９】
ベルマウス９は、前面部１ｂの吹出口１ｇの周縁から、プロペラファン３側に突出するように設けられている。このベルマウス９は、所定の間隔を空けてプロペラファン３の外周側を覆うように配置されている。これにより、ベルマウス９は、吹出口１ｇの近傍の風路を、吸込側と吹出側とに区切る。また、前面部１ｂの吹出口１ｇは、ファングリル２で覆われている。ファングリル２は、物体等とプロペラファン３との接触を防止して安全を図るためのものである。なお、ベルマウス９は、前面部１ｂと一体で形成されていてもよいし、別体で形成されていてもよい。
【００２０】
また、機械室７には、圧縮機１０、配管１１及び基板箱１２が設置されている。圧縮機１０は、冷媒回路の一部を構成するものであり、冷媒回路を循環する冷媒を圧縮するものである。配管１１は、圧縮機１０と熱交換器８とを接続する配管等である。基板箱１２は、制御基板１３が収納されているものである。制御基板１３は、圧縮機１０等、室外機１００に搭載された機器を制御するものである。
【００２１】
続いて本実施の形態１に係るプロペラファン３の構成をさらに詳しく説明する。
【００２２】
図５は、本発明の実施の形態１に係るプロペラファンを正面側から見た斜視図である。つまり、図５は、プロペラファン３を、該プロペラファン３が発生させる空気流れ（以下、単に空気流れともいう）の下流側から見た斜視図である。換言すると、図５は、プロペラファン３を羽根３１の圧力面３１ａ側から見た斜視図である。さらに換言すると、図５は、室外機本体１の吹出口１ｇ側からプロペラファン３を見た斜視図である。また、図６は、本発明の実施の形態１に係るプロペラファンの背面図である。つまり、図６は、プロペラファン３を空気流れの上流側から見た図である。また、図７は、本発明の実施の形態１に係るプロペラファンの回転軸部周辺を正面側から見た斜視図である。また、図８は、本発明の実施の形態１に係るプロペラファンの回転軸部周辺の正面図である。なお、図５〜図８に示す円弧状の矢印は、プロペラファン３の回転方向を示している。
【００２３】
プロペラファン３は、該プロペラファン３の回転中心となる回転軸部３０と、回転軸部３０の外周側に設けられた複数の羽根３１（プロペラ）と、を備えている。回転軸部３０は、例えば円筒形状をしており、該回転軸部３０の回転中心となる中心部には、ファンモータ４の回転軸４ａが挿入されて固定される接続孔３０ａが形成されている。なお、本実施の形態１では、回転軸部３０を羽根３１の圧力面３１ａ側に突出させているが、回転軸部３０を羽根３１の圧力面３１ａ側に突出させていなくてもよい。
以下、単に回転中心と称した場合には、プロペラファン３の回転中心、つまり回転軸部３０の回転中心を示すものとする。また、回転中心方向とは、回転軸部３０の回転中心方向、換言すると接続孔３０ａの貫通方向を示すものとする。
【００２４】
複数の羽根３１は、回転軸部３０の周方向に、該回転軸部３０を中心として同角度間隔で配置されている。これら複数の羽根３１は、隣接する羽根３１が前縁部３１ｂと後縁部３１ｃとで接続されている。すなわち、本実施の形態１に係るプロペラファン３は、所謂翼一体型のプロペラファンである。なお、本実施の形態１に係るプロペラファン３は３つの羽根３１を備えているが、羽根３１の枚数は３つに限定されるものではない。また、各羽根３１は、回転軸部３０を中心として、異なる角度間隔で配置されていてもよい。
【００２５】
また、本実施の形態１に係るプロペラファン３は、回転軸部３０の周囲に、第１リブ３２及び第２リブ３３を備えている。回転軸部３０、第１リブ３２及び第２リブ３３は、プロペラファン３のハブを構成するものである。さらに、本実施の形態１に係るプロペラファン３は、空気拡散作用及び強度のうちの少なくとも１つをさらに向上させるため、補強リブ３４及び第３リブ３５も備えている。なお、補強リブ３４及び第３リブ３５は、プロペラファン３において、必須の構成ではない。
【００２６】
第１リブ３２は、複数の羽根３１の圧力面３１ａに設けられている。また、第１リブ３２は、回転軸部３０を囲むように、回転中心方向に沿って突出している。換言すると、第１リブ３２は、回転軸部３０を囲むように、空気流れの下流側へ突出している。より詳しくは、本実施の形態１に係る第１リブ３２は、回転中心方向に観察したときに外周面が円弧形状となっている３つのリブ３２ａを有している。つまり、リブ３２ａの外周面は曲面形状となっている。これらリブ３２ａは、回転軸部３０の周方向に、該回転軸部３０を中心として同角度間隔で配置されている。また、隣接するリブ３２ａは、端部同士が接続されている。このため、本実施の形態１に係る第１リブ３２は、回転中心方向に第１リブ３２を観察した際、外周面が略三角形状となるように、回転軸部３０を囲んでいる。なお、第１リブ３２を構成する各リブ３２ａは、回転中心方向に観察した際、両端部間において厚みが略一様となっている。つまり、第１リブ３２は、全周に渡り、略一様の厚さとなっている。このため、回転中心方向に第１リブ３２を観察した際、内周面も略三角形状となっている。すなわち、回転中心方向に第１リブ３２を観察した際、略三角形状となるように、回転軸部３０を囲んでいる。
【００２７】
プロペラファン３が回転した際、第１リブ３２は、周囲の空気を拡散する。この拡散された空気が、羽根３１の外周側を流れるプロペラファン３の主流に誘引されることにより、プロペラファン３の主流を内周側に拡大することができる。つまり、プロペラファン３の主流を第１リブ３２の外周部近傍まで拡大することができる。
【００２８】
また、第１リブ３２を構成するリブ３２ａのそれぞれの一端には、該リブ３２ａに沿って第１リブ３２の外周側に延びるように、第３リブ３５が設けられている。すなわち、第３リブ３５は羽根３１の圧力面３１ａに設けられており、第３リブ３５は、第１リブ３２から外周側に延びるように回転中心方向に沿って突出している。換言すると、第３リブ３５は、第１リブ３２から外周側に延びるように空気流れの下流側へ突出している。第３リブ３５を設けることにより、プロペラファン３が回転した際、第１リブ３２周辺の空気をより拡散でき、プロペラファン３の主流を内周側により拡大することができる。
【００２９】
ここで、第１リブ３２を構成するリブ３２ａの数は、３つに限定されるものではない。また、各リブ３２ａは、回転軸部３０を中心として異なる角度間隔で配置されていてもよいし、回転軸部３０からの距離をリブ３２ａ毎に異ならせてもよい。また、回転中心方向に第１リブ３２を観察した際、リブ３２ａ毎に長さが異なっていてもよい。また、リブ３２ａの一端に設けられた第３リブ３５は必須の構成ではなく、例えば図９に示すように、リブ３２ａの一端に第３リブ３５を設けなくてもよい。また、第１リブ３２は、回転軸部３０の周囲を完全に囲んでいる必要はない。例えば図１０に示すように、第１リブ３２の一部が切り欠かれていてもよい。本実施の形態１では、第１リブ３２の一部が切り欠かれている場合でも、「回転軸部３０を囲む」と称する。
なお、図９及び図１０は、本発明の実施の形態１に係るプロペラファンの別の一例の回転軸部周辺を示す正面図である。
【００３０】
第２リブ３３は、複数の羽根３１の圧力面３１ａに設けられている。また、第２リブ３３は、回転軸部３０から第１リブ３２に向かって延びるように、回転中心方向に沿って突出している。換言すると、第２リブ３３は、回転軸部３０から第１リブ３２に向かって延びるように、空気流れの下流側へ突出している。より詳しくは、本実施の形態１では３つの第２リブ３３が設けられている。これら第２リブ３３は、回転軸部３０の周方向に、該回転軸部３０を中心として同角度間隔で配置されている。すなわち、これら第２リブ３３は、回転軸部３０から略放射状に延びている。
【００３１】
プロペラファン３が回転した際、第２リブ３３は、周囲の空気を拡散する。この拡散された空気が、第１リブ３２によって第１リブ３２の外周部近傍まで拡大したプロペラファン３の主流に誘引されることにより、プロペラファン３の主流を回転軸部３０の下流側まで拡大することができる。つまり、回転軸部３０の下流側に十分な気流を発生させることができる。
【００３２】
また、第２リブ３３のそれぞれの外周側端部には、第２リブ３３に沿って第１リブ３２の外周側に延びるように、第３リブ３５が設けられている。上述のように、第３リブ３５を設けることにより、プロペラファン３が回転した際、第１リブ３２周辺の空気をより拡散でき、プロペラファン３の主流を内周側により拡大することができる。
【００３３】
ここで、図７に示すように、第２リブ３３の下流側端部３３ａは、第１リブ３２の下流側端部３２ｂよりも、空気流れの下流側に位置している。換言すると、第２リブ３３における回転中心方向の端部のうちの圧力面３１ａとは反対側の下流側端部３３ａが、第１リブ３２における回転中心方向の端部のうちの圧力面３１ａとは反対側の下流側端部３２ｂよりも、圧力面３１ａから離れる方向に突出している。第２リブ３３の下流側端部３３ａをこのような位置に配置することにより、第２リブ３３周辺の空気をより拡散でき、回転軸部３０の下流側により十分な気流を発生させることができる。
【００３４】
なお、第２リブ３３の数は、３つに限定されるものではない。また、各第２リブ３３は、回転軸部３０を中心として異なる角度間隔で配置されていてもよい。また、第２リブ３３の外周側端部に設けられた第３リブ３５は必須の構成ではなく、例えば図１１に示すように、第２リブ３３の外周側端部に第３リブ３５を設けなくてもよい。また、第２リブ３３の内周側端部が回転軸部３０に接続されていなくてもよい。また、図１２に示すように、第２リブ３３の外周側端部が第１リブ３２に接続されていなくてもよい。
なお、図１１及び図１２は、本発明の実施の形態１に係るプロペラファンの別の一例の回転軸部周辺を示す正面図である。
【００３５】
補強リブ３４は、必須の構成ではなく、回転軸部３０、第１リブ３２及び第２リブ３３で構成されるハブの強度をさらに向上させたい場合に、羽根３１の圧力面３１ａに設けられる。この際、例えば図８に示すように、補強リブ３４を形成してもよい。図８に示す補強リブ３４は、回転軸部３０から第１リブ３２に向かって延びるように、回転中心方向に沿って突出している。このように補強リブ３４を形成することにより、補強リブ３４を第２リブ３３としても機能させることができる。換言すると、第２リブ３３の数を増やして、ハブの強度を向上させてもよい。
【００３６】
また例えば、図１３に示すように、補強リブ３４を形成してもよい。図１３に示す補強リブ３４は、第１リブ３２から外周側に延びるように回転中心方向に沿って突出している。このように補強リブ３４を形成することにより、補強リブ３４を第３リブ３５としても機能させることができる。換言すると、第３リブ３５の数を増やして、ハブの強度を向上させてもよい。また例えば、図１４に示すように、図８で示した補強リブ３４と図１３で示した補強リブ３４の双方を形成してもよい。また例えば、補強リブ３４に空力的な仕事をさせる必要がなければ、補強リブ３４の形状は、上述した形状に限らず、種々のリブ形状とすることができる。例えば図１５に示すように、第１リブ３２の内周側において、該第１リブ３２と第２リブ３３とを接続するように、補強リブ３４を形成してもよい。
なお、図１３〜図１５は、本発明の実施の形態１に係るプロペラファンの別の一例の回転軸部周辺を示す正面図である。
【００３７】
次に、本実施の形態１に係る室外機１００の送風動作について説明する。
【００３８】
図２に矢印で示すように、本実施の形態１に係る室外機１００において、プロペラファン３が回転すると、室外機本体１の第１側面部１ａ及び背面部１ｄに形成された吸込口１ｈを介して、室外機本体１の外部から空気が室外機本体１内に吸い込まれる。室外機本体１内に吸い込まれた空気は、吸込口１ｈに沿って配置された熱交換器８を通過する。これにより、空気と熱交換器８内の冷媒との間で熱交換が行われる。熱交換器８で熱交換が行われた空気は、プロペラファン３及びベルマウス９を通過して、吹出口１ｇから室外に吹き出される。このとき、図２に示すように吹出口１ｇから室外に吹き出される気流Ａが発生する。
【００３９】
ここで、従来のプロペラファンにおいては、該プロペラファンが回転した際に発生する気流の主流は、羽根の外周側を流れる。このため、従来のプロペラファンにおいては、室外機の吹出口から室外に吹き出される気流Ａは、回転軸部の下流側をあまり流れず、回転軸部の下流側に淀みが発生し、回転軸部の下流側に大きな剥離域が発生する。一方、本実施の形態１に係るプロペラファン３は、上述の第１リブ３２及び第２リブ３３を備えている。このため、室外機１００の吹出口１ｇから室外に吹き出される気流Ａは、回転軸部３０の下流側を流れることができ、回転軸部３０の下流側に発生する剥離域を従来よりも小さくすることができる。
【００４０】
以下、本実施の形態１に係るプロペラファン３を備えた室外機１００と、従来のプロペラファンを備えた室外機とを比較しながら、本実施の形態１に係るプロペラファン３及び室外機１００が有する剥離域を小さくできる効果について説明していく。なお、以下では、従来のプロペラファン及び室外機を説明する際、本実施の形態１に係るプロペラファン３及び室外機１００と同じ構成については、本実施の形態１に係るプロペラファン３及び室外機１００と同じ符号を付し、これらの構成の説明を省略する。
【００４１】
図１６は、従来の室外機を正面側から見た斜視図であり、ファングリルを取り外した状態を示す図である。また、図１７は、従来の室外機を側方から観察した縦断面模式図であり、該室外機で発生する気流を説明するための図である。
従来の室外機５００が本実施の形態１に係る室外機１００と異なる点は、プロペラファン５０３の構成である。詳しくは、従来のプロペラファン５０３は、本実施の形態１に係るプロペラファン３が有している各リブ（第１リブ３２、第２リブ３３、補強リブ３４、第３リブ３５）を備えていない。従来のプロペラファン５０３は、これらのリブに代わりに、リブ５４０を備えている。リブ５４０は、複数の羽根３１の圧力面３１ａに設けられており、回転軸部３０から放射状に延び、圧力面３１ａから空気流れの下流側に突出した形状となっている。従来の室外機５００及びプロペラファン５０３のその他の構成は、本実施の形態１に係る室外機１００及びプロペラファン３と同じである。
【００４２】
プロペラファン５０３が回転した際に発生する主流は、羽根３１の外周側を流れる。この際、プロペラファン５０３は回転軸部３０から放射状に延びるリブ５４０を有しているので、リブ５４０の外周側端部近傍の空気が拡散される。このため、この拡散された空気が主流に誘引されることにより、主流は、リブ５４０の外周側端部近傍にまで拡大する。つまり、気流Ａをリブ５４０の外周側端部近傍まで流すことができる。しかしながら、気流Ａは、回転軸部３０の下流側までは拡大しない。このため、プロペラファン５０３においては、回転軸部３０の下流側に大きな剥離域２０が発生してしまう。
【００４３】
図１８は、本発明の実施の形態１に係る室外機を側方から観察した縦断面模式図であり、該室外機で発生する気流を説明するための図である。
一方、プロペラファン３が回転した際に発生する主流も、羽根３１の外周側を流れる。この際、プロペラファン３の第１リブ３２が周囲の空気を拡散する。このため、この拡散された空気が主流に誘引されることにより、プロペラファン３の主流を内周側に拡大することができる。つまり、気流Ａを第１リブ３２の外周部近傍まで拡大することができる。さらに、プロペラファン３が回転した際、第２リブ３３も周囲の空気を拡散する。この拡散された空気が、第１リブ３２によって第１リブ３２の外周部近傍まで拡大した気流Ａに誘引されることにより、気流Ａを回転軸部３０の下流側まで拡大することができる。つまり、回転軸部３０の下流側に十分な量の気流Ａを発生させることができる。したがって、プロペラファン３は、回転軸部３０の下流側に発生する剥離域２０を十分に小さくすることができる。
【００４４】
以上のように、本実施の形態１に係るプロペラファン３は、上述のような第１リブ３２及び第２リブ３３を有しているので、回転軸部３０の下流側に発生する剥離域２０を十分に小さくすることができる。このため、本実施の形態１に係るプロペラファン３は、回転軸部３０の下流側において渦の発生を抑制することができる。これにより、本実施の形態１に係るプロペラファン３は、渦の発生による圧力流量特性の損失を低減させることができる。また、本実施の形態１に係るプロペラファン３は、渦の発生による騒音を低減させることができる。
【００４５】
また、本実施の形態１に係るプロペラファン３は、第１リブ３２の外周側に延びる第３リブ３５が設けられている。このため、本実施の形態１に係るプロペラファン３は、プロペラファン３の気流Ａを内周側により拡大することができる。これにより、本実施の形態１に係るプロペラファン３は、渦の発生による圧力流量特性の損失をより低減させることができ、渦の発生による騒音をより低減させることができる。
【００４６】
また、本実施の形態１に係る室外機１００は、上記のプロペラファン３と、熱交換器８とを備えている。したがって、本実施の形態１に係る室外機１００は、プロペラファン３の回転軸部３０の下流側に発生する剥離域２０を十分に小さくすることができる。このため、本実施の形態１に係る室外機１００は、回転軸部３０の下流側において渦の発生を抑制することができる。これにより、渦の発生による圧力流量特性の損失を低減させることができる室外機１００を得ることができる。また、渦の発生による騒音を低減させることができる室外機１００を得ることができる。
【００４７】
実施の形態２．
実施の形態１に係るプロペラファン３は、外周面が曲面形状に形成され、略一様の厚さを有する複数のリブ３２ａにより、第１リブ３２を構成していた。そして、実施の形態１に係るプロペラファン３においては、回転中心方向に第１リブ３２を観察した際、第１リブ３２は、略多角形状となるように回転軸部３０を囲んでいた。しかしながら、回転軸部３０を囲む第１リブ３２の形状は、実施の形態１で示した形状に限定されるものではない。例えば、第１リブ３２は、以下のように回転軸部３０を囲んでいてもよい。なお、本実施の形態２において、特に記述しない項目については実施の形態１と同様とし、同一の機能や構成については同一の符号を用いて述べることとする。
【００４８】
図１９は、本発明の実施の形態２に係るプロペラファンの一例の回転軸部周辺を示す正面図である。例えば図１９に示すように、回転中心方向に回転軸部３０を囲む第１リブ３２を観察したとき、該第１リブ３２の外周面が円形状となっていてもよい。換言すると、図１９に示す第１リブ３２は、回転中心方向に観察したときに外周面が円弧形状となっている２つのリブを有し、これらのリブで回転軸部３０を囲んでいるということもできる。なお、図１９に示す第１リブ３２は、回転中心方向に観察した際、実施の形態１で示した第１リブ３２と同様に、厚みが略一様となっている。
【００４９】
図１９のように第１リブ３２が構成されたプロペラファン３においても、プロペラファン３の回転によって、第１リブ３２が周囲の空気を拡散する。このため、気流Ａを第１リブ３２の外周部近傍まで拡大することができる。さらに、第２リブ３３も周囲の空気を拡散することにより、気流Ａを回転軸部３０の下流側まで拡大することができる。したがって、図１９に示すプロペラファン３においても、回転軸部３０の下流側に十分な量の気流Ａを発生させることができ、回転軸部３０の下流側に発生する剥離域２０を十分に小さくすることができる。
【００５０】
このため、図１９に示すプロペラファン３も、実施の形態１と同様に、回転軸部３０の下流側において渦の発生を抑制することができる。つまり、図１９に示すプロペラファン３も、実施の形態１と同様に、渦の発生による圧力流量特性の損失を低減させることができ、渦の発生による騒音を低減させることができる。
【００５１】
なお、図１９に示すプロペラファン３と実施の形態１に係るプロペラファン３とを比較した場合、実施の形態１で示した第１リブ３２の構成の方が、プロペラファン３の強度を向上させることができる。換言すると、図１９に示すプロペラファン３と実施の形態１に係るプロペラファン３とを同じ強度で製作した場合、実施の形態１に係るプロペラファン３の方が、軽量化することができる。
【００５２】
また、図１９に示すプロペラファン３と実施の形態１に係るプロペラファン３とを比較した場合、実施の形態１に係るプロペラファン３の第１リブ３２の外周面の方が、プロペラファン３の回転方向に対して大きな角度を有する。このため、図１９に示すプロペラファン３と実施の形態１に係るプロペラファン３とを比較した場合、実施の形態１に係るプロペラファン３の第１リブ３２の方が、周囲の空気を拡散することができる。したがって、図１９に示すプロペラファン３と実施の形態１に係るプロペラファン３とを比較した場合、実施の形態１に係るプロペラファン３の方が、仕事率が向上し、空力特性を向上させることができる。
【００５３】
また、実施の形態１に係るプロペラファン３は、図１９に示すプロペラファン３と比べ、騒音を低減できるという効果も得られる。詳しくは、実施の形態１に係るプロペラファン３は、第１リブ３２の外周面が略多角形状となっている。この多角形状の辺（換言すると角）の数をｎとした場合、実施の形態１に係るプロペラファン３が回転すると、該プロペラファン３の回転周波数のｎ倍の周波数でピークが発生する騒音が生じることとなる。すなわち、実施の形態１に係るプロペラファン３が発生する騒音は、ｎ次の騒音となる。このため、実施の形態１に係るプロペラファン３は、プロペラファン３の騒音によって該プロペラファン３の周囲の部品が共鳴及び共振を起こさないように多角形状の辺（換言すると角）の数ｎを決定することにより、騒音を低減することもできる。
【００５４】
図２０は、本発明の実施の形態２に係るプロペラファンの別の一例の回転軸部周辺を示す正面図である。例えば図２０に示すように、第１リブ３２は回転中心方向に観察したときに外周面が円弧形状となっている４つ以上のリブ３２ａを有している。そして、これらリブ３２ａが接続されて、回転軸部３０を囲んでいる。
【００５５】
図２０のように第１リブ３２が構成されたプロペラファン３においても、プロペラファン３の回転によって、第１リブ３２が周囲の空気を拡散する。このため、気流Ａを第１リブ３２の外周部近傍まで拡大することができる。さらに、第２リブ３３も周囲の空気を拡散することにより、気流Ａを回転軸部３０の下流側まで拡大することができる。したがって、図２０に示すプロペラファン３においても、回転軸部３０の下流側に十分な量の気流Ａを発生させることができ、回転軸部３０の下流側に発生する剥離域２０を十分に小さくすることができる。
【００５６】
このため、図２０に示すプロペラファン３も、実施の形態１と同様に、回転軸部３０の下流側において渦の発生を抑制することができる。つまり、図２０に示すプロペラファン３も、実施の形態１と同様に、渦の発生による圧力流量特性の損失を低減させることができ、渦の発生による騒音を低減させることができる。
【００５７】
なお、図１９に示すプロペラファン３と図２０に示すプロペラファン３とを比較した場合、実施の形態１に係るプロペラファン３と同様に、図２０に示すプロペラファン３の第１リブ３２の外周面の方が、プロペラファン３の回転方向に対して大きな角度を有する。このため、図１９に示すプロペラファン３と図２０に示すプロペラファン３とを比較した場合、実施の形態１に係るプロペラファン３と同様に、図２０に示すプロペラファン３の第１リブ３２の方が、周囲の空気を拡散することができる。したがって、図１９に示すプロペラファン３と図２０に示すプロペラファン３とを比較した場合、実施の形態１に係るプロペラファン３と同様に、図２０に示すプロペラファン３の方が、仕事率が向上し、空力特性を向上させることができる。
【００５８】
また、図２０に示すプロペラファン３は、実施の形態１に係るプロペラファン３と同様に、図１９に示すプロペラファン３と比べ、騒音を低減できるという効果も得られる。詳しくは、図２０に示すプロペラファン３において、第１リブ３２の外周面の円弧数をｎと定義する。この場合、図２０に示すプロペラファン３が回転すると、該プロペラファン３の回転周波数のｎ倍の周波数でピークが発生する騒音が生じることとなる。すなわち、図２０に示すプロペラファン３が発生する騒音は、ｎ次の騒音となる。このため、図２０に示すプロペラファン３は、プロペラファン３の騒音によって該プロペラファン３の周囲の部品が共鳴及び共振を起こさないように円弧数ｎを決定することにより、騒音を低減することもできる。
【００５９】
実施の形態３．
実施の形態１及び実施の形態２に係るプロペラファン３の第１リブ３２は、曲面形状の外周面を有するリブ３２ａを用いて形成されていた。これに限らず、第１リブ３２を構成するリブ３２ａの外周面を平面形状に形成しても、本発明を実施することができる。なお、本実施の形態３において、特に記述しない項目については実施の形態１又は実施の形態２と同様とし、同一の機能や構成については同一の符号を用いて述べることとする。
【００６０】
図２１は、本発明の実施の形態３に係るプロペラファンの一例の回転軸部周辺を示す正面図である。
本実施の形態３に係る第１リブ３２は、回転中心方向に観察したときに外周面が直線形状となっている複数のリブ３２ａを有している。つまり、リブ３２ａの外周面は平面形状となっている。また、隣接するリブ３２ａは、端部同士が接続されている。このため、本実施の形態３に係る第１リブ３２は、回転中心方向に第１リブ３２を観察した際、外周面が多角形状となるように、回転軸部３０を囲んでいる。
【００６１】
本実施の形態３のように第１リブ３２が構成されたプロペラファン３においても、プロペラファン３の回転によって、第１リブ３２が周囲の空気を拡散する。このため、気流Ａを第１リブ３２の外周部近傍まで拡大することができる。さらに、第２リブ３３も周囲の空気を拡散することにより、気流Ａを回転軸部３０の下流側まで拡大することができる。したがって、本実施の形態３に係るプロペラファン３においても、回転軸部３０の下流側に十分な量の気流Ａを発生させることができ、回転軸部３０の下流側に発生する剥離域２０を十分に小さくすることができる。
【００６２】
このため、本実施の形態３に係るプロペラファン３も、実施の形態１及び実施の形態２と同様に、回転軸部３０の下流側において渦の発生を抑制することができる。つまり、本実施の形態３に係るプロペラファン３も、実施の形態１及び実施の形態２と同様に、渦の発生による圧力流量特性の損失を低減させることができ、渦の発生による騒音を低減させることができる。
【００６３】
なお、本実施の形態３に係るプロペラファン３も、図１９に示すプロペラファン３と比較した場合、実施の形態１に係るプロペラファン３と同様に、プロペラファン３の第１リブ３２の外周面がプロペラファン３の回転方向に対して大きな角度を有する。このため、図１９に示すプロペラファン３と本実施の形態３に係るプロペラファン３とを比較した場合、実施の形態１に係るプロペラファン３と同様に、本実施の形態３に係るプロペラファン３の第１リブ３２の方が、周囲の空気を拡散することができる。したがって、図１９に示すプロペラファン３と本実施の形態３に係るプロペラファン３とを比較した場合、実施の形態１に係るプロペラファン３と同様に、本実施の形態３に係るプロペラファン３の方が、仕事率が向上し、空力特性を向上させることができる。
【００６４】
また、本実施の形態３に係るプロペラファン３は、実施の形態１に係るプロペラファン３と同様に、図１９に示すプロペラファン３と比べ、騒音を低減できるという効果も得られる。詳しくは、本実施の形態３に係るプロペラファン３において、第１リブ３２の外周面が形成する多角形の辺数をｎと定義する。この場合、本実施の形態３に係るプロペラファン３が回転すると、該プロペラファン３の回転周波数のｎ倍の周波数でピークが発生する騒音が生じることとなる。すなわち、本実施の形態３に係るプロペラファン３が発生する騒音は、ｎ次の騒音となる。このため、本実施の形態３に係るプロペラファン３は、プロペラファン３の騒音によって該プロペラファン３の周囲の部品が共鳴及び共振を起こさないように辺数ｎを決定することにより、騒音を低減することもできる。
【００６５】
実施の形態４．
熱交換器８のフィン間が塵埃等で詰まってきたとき等、プロペラファン３が回転したときにプロペラファン３の空気流れの上流側又は下流側で発生する圧力が上昇した場合、気流Ａの流れ方向において回転軸部３０の下流側となる範囲には、気流Ａとは逆向きの流れが発生する。換言すると、図１７及び図１８で剥離域２０として示した範囲の空気が回転軸部３０の方へ逆流する流れが発生する。このような逆流が発生した場合、気流Ａは、プロペラファン３の外周側へ広がるような流れとなり、気流Ａの流れ方向において回転軸部３０の下流側となる範囲に渦が発生してしまう。このため、渦の発生による圧力流量特性の損失が大きくなり、渦の発生による騒音も大きくなってしまう。
【００６６】
しかしながら、実施の形態１〜実施の形態３で示したプロペラファン３は、第２リブ３３の下流側端部３３ａを、第１リブ３２の下流側端部３２ｂよりも、気流Ａの流れ方向において下流側に位置させている。このため、プロペラファン３が回転した際、第２リブ３３における第１リブ３２よりも気流Ａの流れ方向の下流側に突出した部分において、回転軸部３０に向かって逆流してきた空気を外周側へ送り出すことができる。そして、この送り出された空気が気流Ａに誘引されることにより、気流Ａを内周側へ拡大することができる。つまり、実施の形態１〜実施の形態３で示したプロペラファン３は、プロペラファン３が回転したときにプロペラファン３の空気流れの上流側又は下流側で発生する圧力が上昇した場合でも、回転軸部３０の下流側において渦の発生を抑制することができる。すなわち、実施の形態１〜実施の形態３で示したプロペラファン３は、プロペラファン３が回転したときにプロペラファン３の空気流れの上流側又は下流側で発生する圧力が上昇した場合でも、渦の発生による圧力流量特性の損失を低減させることができ、渦の発生による騒音を低減させることができる。
【００６７】
このように、プロペラファン３の空気流れの上流側又は下流側で発生する圧力が上昇した際に渦の発生を抑制しようとする場合、以下のような閉塞リブ３６を備えることにより、渦の発生をより抑制することができる。なお、本実施の形態４において、特に記述しない項目については実施の形態１〜実施の形態３のいずれかと同様とし、同一の機能や構成については同一の符号を用いて述べることとする。
【００６８】
図２２及び図２３は、本発明の実施の形態４に係るプロペラファンの回転軸部周辺を正面側から見た斜視図である。つまり、図２２及び図２３は、気流Ａの流れ方向の下流側から、プロペラファン３の回転軸部３０周辺を見た図である。
本実施の形態４に係るプロペラファン３においては、第２リブ３３の下流側端部３３ａは、第１リブ３２の下流側端部３２ｂよりも、気流Ａの流れ方向の下流側に位置している。換言すると、第２リブ３３における回転中心方向の端部のうちの圧力面３１ａとは反対側の下流側端部３３ａが、第１リブ３２における回転中心方向の端部のうちの圧力面３１ａとは反対側の下流側端部３２ｂよりも、圧力面３１ａから離れる方向に突出している。
【００６９】
また、本実施の形態４に係るプロペラファン３は、第１リブ３２と第２リブ３３との間に形成された隙間の少なくとも一部を閉塞する閉塞リブ３６を備えている。閉塞リブ３６は、例えば、第１リブ３２の下流側端部３２ｂから回転中心と略垂直な方向に延びる面上に配置されている。なお、図２２は、第１リブ３２と第２リブ３３との間に形成された隙間の一部を閉塞リブ３６で閉塞した例を示している。詳しくは、図２２に示すプロペラファン３は、第１リブ３２の下流側端部３２ｂから第２リブ３３の側面に向かって延びる閉塞リブ３６と、第２リブ３３の側面に沿って形成され、第１リブ３２へ向かって突出する閉塞リブ３６と、を備えている。また、図２３は、第１リブ３２と第２リブ３３との間に形成された隙間の全部を閉塞リブ３６で閉塞した例を示している。
【００７０】
閉塞リブ３６を有する本実施の形態４に係るプロペラファン３においては、プロペラファン３の空気流れの上流側又は下流側で発生する圧力が上昇し、回転軸部３０に向かって逆流してきた空気を第２リブ３３で外周側へ送り出そうとした際、該送り出そうとした空気が第１リブ３２の内周面に衝突することを抑制でき、該送り出そうとした空気を第１リブ３２の外周側まで送り出せないことを抑制できる。したがって、本実施の形態４に係るプロペラファン３は、プロペラファン３の空気流れの上流側又は下流側で発生する圧力が上昇した際に渦の発生を抑制しようとする際、閉塞リブ３６を備えていない場合と比べ、渦の発生をさらに抑制することができる。
【００７１】
実施の形態５．
本実施の形態５では、実施の形態１〜実施の形態４で示したプロペラファン３を有する冷凍サイクル装置の一例について説明する。また、本実施の形態５では、当該冷凍サイクル装置を空気調和装置として用いた例について説明する。なお、本実施の形態５において、特に記述しない項目については実施の形態１〜実施の形態４のいずれかと同様とし、同一の機能や構成については同一の符号を用いて述べることとする。
【００７２】
図２４は、本発明の実施の形態５に係る空気調和装置の構成図である。
空気調和装置４００は、室外機１００と、室内機２００とを備えている。そして、室外機１００及び室内機２００の各構成が冷媒配管で接続されて、冷媒が循環する冷媒回路が構成されている。なお、室外機１００の構成と室内機２００の構成とを接続する冷媒配管のうち、気体の冷媒（ガス冷媒）が流れる配管をガス配管３０１とし、液体の冷媒（液冷媒。気液二相冷媒の場合もある）が流れる配管を液配管３０２とする。
【００７３】
室外機１００は、例えば、圧縮機１０、四方弁１０２、室外熱交換器である熱交換器８、プロペラファン３、及び、例えば膨張弁である絞り装置１０５を有している。
【００７４】
圧縮機１０は、吸入した冷媒を圧縮して吐出するものである。ここで、圧縮機１０は、インバータ装置等を備え、運転周波数を任意に変化させることにより、圧縮機１０の容量（単位時間あたりの冷媒を送り出す量）を細かく変化させることができるものが好ましい。四方弁１０２は、制御基板１３からの指示に基づいて、冷房運転時と暖房運転時とによって冷媒の流れを切り換えるものである。なお、空気調和装置４００が冷房運転又は暖房運転の一方のみを行うものである場合、四方弁１０２は不要である。
【００７５】
また、室外熱交換器である熱交換器８は、冷媒と室外空気との熱交換を行うものである。例えば、熱交換器８は、暖房運転時においては蒸発器として機能し、液配管３０２から室外機１００に流入して絞り装置１０５により減圧された低圧の冷媒と室外空気との熱交換を行い、冷媒を蒸発させ、気化させる。また、熱交換器８は、冷房運転時においては凝縮器として機能し、四方弁１０２側から流入した圧縮機１０において圧縮された冷媒と室外空気との熱交換を行い、冷媒を凝縮して液化させる。熱交換器８の近傍には、熱交換器８へ室外空気を導くため、上述の実施の形態１〜実施の形態４で説明したプロペラファン３が設けられている。このプロペラファン３には、実施の形態１で説明したように、該プロペラファン３を回転駆動させるファンモータ４が接続されている。ファンモータ４についても、インバータ装置によりファンモータ４の運転周波数を任意に変化させてプロペラファン３の回転速度を細かく変化させるようにしてもよい。絞り装置１０５は、開度を変化させることで、冷媒の圧力等を調整するために設ける。
【００７６】
一方、室内機２００は、負荷側熱交換器２０１及び負荷側送風機２０２を有している。負荷側熱交換器２０１は、冷媒と室内空気との熱交換を行うものである。例えば、負荷側熱交換器２０１は、暖房運転時においては凝縮器として機能し、ガス配管３０１から流入した冷媒と室内空気との熱交換を行い、冷媒を凝縮させて液化（又は気液二相化）させ、液配管３０２側に流出させる。一方、負荷側熱交換器２０１は、冷房運転時においては蒸発器として機能し、例えば絞り装置１０５により低圧状態にされた冷媒と室内空気との熱交換を行い、冷媒に空気の熱を奪わせて蒸発させて気化させ、ガス配管３０１側に流出させる。また、室内機２００には、負荷側熱交換器２０１に室内空気を導く負荷側送風機２０２が設けられている。この負荷側送風機２０２の運転速度は、例えば利用者の設定により決定される。なお、負荷側送風機２０２として、実施の形態１〜実施の形態４で説明したプロペラファン３を用いても勿論よい。
【００７７】
すなわち、本実施の形態５に係る空気調和装置４００は、凝縮器（熱交換器８又は負荷側熱交換器２０１の一方）及び蒸発器（熱交換器８又は負荷側熱交換器２０１の他方）を有する冷媒回路を備えている。詳しくは、本実施の形態５に係る冷媒回路は、圧縮機１０、凝縮器（熱交換器８又は負荷側熱交換器２０１の一方）、絞り装置１０５及び蒸発器（熱交換器８又は負荷側熱交換器２０１の他方）を備えている。そして、本実施の形態５に係る空気調和装置４００は、凝縮器又は蒸発器に空気を導く送風機として、実施の形態１〜実施の形態４で説明したプロペラファン３を備えている。したがって、本実施の形態５に係る空気調和装置４００は、プロペラファン３の回転軸部３０の下流側に発生する剥離域２０を十分に小さくすることができる。このため、本実施の形態５に係る空気調和装置４００は、プロペラファン３の回転軸部３０の下流側において渦の発生を抑制することができる。これにより、渦の発生による圧力流量特性の損失を低減させることができる空気調和装置４００を得ることができる。また、渦の発生による騒音を低減させることができる空気調和装置４００を得ることができる。
【００７８】
ここで、実施の形態１〜実施の形態４で示したプロペラファン３を有する冷凍サイクル装置の使用例は、空気調和装置４００に限定されるものではない。例えば、給湯機等、冷媒回路と、該冷媒回路の熱交換器に空気を供給する送風機とを有する各種装置及び設備として、実施の形態１〜実施の形態４で示したプロペラファン３を有する冷凍サイクル装置を用いることができる。
【００７９】
なお、今回開示された実施の形態はすべての点で例示であって制限的なものではないと考えられるべきである。本発明の範囲は上記した説明ではなくて請求の範囲によって示され、請求の範囲と均等の意味及び範囲内でのすべての変更が含まれることが意図される。
【符号の説明】
【００８０】
１  室外機本体、１ａ  第１側面部、１ｂ  前面部、１ｃ  第２側面部、１ｄ  背面部、１ｅ  上面部、１ｆ  底面部、１ｇ  吹出口、１ｈ  吸込口、２  ファングリル、３  プロペラファン、４  ファンモータ、４ａ  回転軸、５  仕切板、６  送風機室、７  機械室、８  熱交換器、９  ベルマウス、１０  圧縮機、１１  配管、１２  基板箱、１３  制御基板、２０  剥離域、３０  回転軸部、３０ａ  接続孔、３１  羽根、３１ａ  圧力面、３１ｂ  前縁部、３１ｃ  後縁部、３２  第１リブ、３２ａ  リブ、３２ｂ  下流側端部、３３  第２リブ、３３ａ  下流側端部、３４  補強リブ、３５  第３リブ、３６  閉塞リブ、１００  室外機、１０２  四方弁、１０５  絞り装置、２００  室内機、２０１  負荷側熱交換器、２０２  負荷側送風機、３０１  ガス配管、３０２  液配管、４００  空気調和装置、５００  室外機（従来）、５０３  プロペラファン（従来）、５４０  リブ（従来）、Ａ  気流。
【図１】
0006615379.tif 000002
【図２】
0006615379.tif 000003
【図３】
0006615379.tif 000004
【図４】
0006615379.tif 000005
【図５】
0006615379.tif 000006
【図６】
0006615379.tif 000007
【図７】
0006615379.tif 000008
【図８】
0006615379.tif 000009
【図９】
0006615379.tif 000010
【図１０】
0006615379.tif 000011
【図１１】
0006615379.tif 000012
【図１２】
0006615379.tif 000013
【図１３】
0006615379.tif 000014
【図１４】
0006615379.tif 000015
【図１５】
0006615379.tif 000016
【図１６】
0006615379.tif 000017
【図１７】
0006615379.tif 000018
【図１８】
0006615379.tif 000019
【図１９】
0006615379.tif 000020
【図２０】
0006615379.tif 000021
【図２１】
0006615379.tif 000022
【図２２】
0006615379.tif 000023
【図２３】
0006615379.tif 000024
【図２４】
0006615379.tif 000025